(57)【要約】【課題】コンテンツの切り替えを行った操作者の属性に基づく有効な情報配信を行えるようにする。【解決手段】デジタルサイネージ装置１の制御部２３によれば、通信部２６により携帯端末２からコンテンツの切替指示情報を受信すると、受信したコンテンツ切替指示情報に基づいてプロジェクタ２４や音声出力部３３により出力するコンテンツを切り替える。次いで、制御部２３は、切替指示情報の送信元の携帯端末２の操作者の属性情報を取得し、切替指示情報を送信した操作者の属性情報と、出力中のコンテンツに関連する情報を表示するための配信情報とをビーコン送信部３１によりブロードキャストする。【選択図】図７
2018128940.tif 000002
【特許請求の範囲】
【請求項１】
外部装置からコンテンツ切替指示情報を受信する受信手段と、
前記受信手段により受信したコンテンツ切替指示情報に基づいて出力手段により出力するコンテンツを切り替える切替手段と、
前記コンテンツ切替指示情報を送信した前記外部装置の操作者の属性情報を取得する取得手段と、
前記コンテンツ切替指示情報を送信した前記外部装置の操作者の属性情報と、前記切替手段による切り替え後に前記出力手段により出力されているコンテンツに関連する情報を表示するための配信情報とをブロードキャストする送信手段と、
を備える通信装置。
【請求項２】
前記取得手段は、前記コンテンツ切替指示情報を送信した前記外部装置の操作者の、前記コンテンツ切替指示情報により指示されたコンテンツに応じた項目の属性情報を取得する請求項１に記載の通信装置。
【請求項３】
前記取得手段は、前記コンテンツ切替指示情報を送信した前記外部装置の操作者の、前記外部装置において指定された項目の属性情報を取得する請求項１に記載の通信装置。
【請求項４】
前記取得手段により取得された前記コンテンツ切替指示情報を送信した前記外部装置の操作者の属性情報の内容に基づいて、前記送信手段によりブロードキャストする前記配信情報を制御する制御手段を備える請求項１〜３のいずれか一項に記載の通信装置。
【請求項５】
外部装置からコンテンツ切替指示情報を受信する工程と、
前記コンテンツ切替指示情報に基づいて出力手段により出力するコンテンツを切り替える工程と、
前記コンテンツ切替指示情報を送信した前記外部装置の操作者の属性情報を取得する工程と、
前記コンテンツ切替指示情報を送信した前記外部装置の操作者の属性情報と、前記コンテンツ切替指示情報に基づくコンテンツの切り替え後に前記出力手段により出力されているコンテンツに関連する情報を表示するための配信情報とをブロードキャストする工程と、
を含む通信方法。
【請求項６】
コンピュータを、
外部装置から受信したコンテンツ切替指示情報に基づいて、出力手段により出力するコンテンツを切り替える切替手段、
前記コンテンツ切替指示情報を送信した前記外部装置の操作者の属性情報を取得する取得手段、
前記コンテンツ切替指示情報を送信した前記外部装置の操作者の属性情報と、前記切替手段による切り替え後に前記出力手段により出力されているコンテンツに関連する情報を表示するための配信情報とをブロードキャストする手段、
として機能させるためのプログラム。
【発明の詳細な説明】
【技術分野】
【０００１】
本発明は、通信装置、通信方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
ところで、近年、特許文献１に記載のようなコンテンツを出力する装置において、ビーコン送信部を備え、出力中のコンテンツに関連する情報をビーコン送信部から配信するものが知られている。
【０００５】
しかしながら、コンテンツに基づく情報の配信はビーコンの通信エリア内の全ての人を対象としており、例えば、コンテンツを切り替えた操作者と同じ性別や同じ趣味を持つ人のみを対象とした有効な情報配信を行うことができなかった。
【０００６】
本発明の課題は、コンテンツの切り替えを行った操作者の属性に基づく有効な情報配信を行えるようにすることである。
【課題を解決するための手段】
【０００７】
上記課題を解決するため、請求項１に記載の通信装置は、
外部装置からコンテンツ切替指示情報を受信する受信手段と、
前記受信手段により受信したコンテンツ切替指示情報に基づいて出力手段により出力するコンテンツを切り替える切替手段と、
前記コンテンツ切替指示情報を送信した前記外部装置の操作者の属性情報を取得する取得手段と、
前記コンテンツ切替指示情報を送信した前記外部装置の操作者の属性情報と、前記切替手段による切り替え後に前記出力手段により出力されているコンテンツに関連する情報を表示するための配信情報とをブロードキャストする送信手段と、
を備える。
【発明の効果】
【０００８】
本発明によれば、コンテンツの切り替えを行った操作者の属性に基づく有効な情報配信を行うことが可能となる。
【図面の簡単な説明】
【０００９】
【図１】本実施形態のコンテンツ出力システムの全体構成例を示す図である。
【図２】図１のデジタルサイネージ装置の機能的構成を示すブロック図である。
【図３】図２のスクリーン部の概略構成を示す図である。
【図４】属性条件情報記憶部のデータ格納例を示す図である。
【図５】図１の携帯端末の機能的構成を示すブロック図である。
【図６】属性情報記憶部のデータ格納例を示す図である。
【図７】図１のデジタルサイネージ装置と携帯端末により実行されるコンテンツ切替処理を示すフローチャートである。
【図８】図１の携帯端末の制御部により実行される表示制御処理を示すフローチャートである。
【発明を実施するための形態】
【００１０】
以下、添付図面を参照して本発明に係る実施形態を詳細に説明する。なお、本発明は、図示例に限定されるものではない。
【００１１】
［コンテンツ出力システム１００の構成］
図１は、本発明の実施形態におけるコンテンツ出力システム１００の全体構成を示す図である。コンテンツ出力システム１００は、図１に示すように、通信装置としてのデジタルサイネージ装置１と、携帯端末２とを備えて構成されている。デジタルサイネージ装置１及び携帯端末２の台数は特に限定されない。
【００１２】
［デジタルサイネージ装置１の構成］
図２は、本実施形態におけるデジタルサイネージ装置１の主制御構成を示すブロック図である。図３は、図２のスクリーン部２２の概略構成を示す正面図である。デジタルサイネージ装置１は、例えば、店舗等に設置され、顧客に対して広告や案内等のコンテンツを出力する装置である。
【００１３】
図２に示すように、デジタルサイネージ装置１は、コンテンツの映像光を照射する投影部２１と、投影部２１から照射された映像光を背面で受けて前面に投影するスクリーン部２２とを備えている。
【００１４】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１５】
制御部２３は、記憶部２５に記憶されている各種のプログラムを実行して所定の演算や各部の制御を行うＣＰＵ（Central Processing Unit）とプログラム実行時の作業領域と
なるメモリとを備えている（いずれも図示略）。制御部２３は、記憶部２５のプログラム記憶部２５１に記憶されているプログラムとの協働により、後述するコンテンツ切替処理（図７参照）におけるデジタルサイネージ装置１側の処理を実行し、切替手段、制御手段として機能する。また、制御部２３は、通信部２６との協働により取得手段として機能する。
【００１６】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
プロジェクタ２４は、出力手段として機能する。
【００１７】
記憶部２５は、ＨＤＤ（Hard Disk Drive）や不揮発性の半導体メモリ等により構成さ
れる。記憶部２５には、図２に示すように、プログラム記憶部２５１、コンテンツ記憶部２５２、属性条件情報記憶部２５３、配信情報記憶部２５４が設けられている。
【００１８】
プログラム記憶部２５１には、制御部２３で実行されるシステムプログラムや各種処理プログラム、これらのプログラムの実行に必要なデータ等が記憶されている。
【００１９】
コンテンツ記憶部２５２には、コンテンツを識別するためのコンテンツＩＤ及びコンテンツ名に対応付けて、コンテンツ情報（コンテンツデータ）が記憶されている。コンテンツ情報は、デジタルサイネージ装置１でコンテンツを出力するためのデータであり、例えば、複数のフレーム画像により構成される動画データ及び各フレーム画像に対応する音声データにより構成されていることとするが、画像データ（静止画データ又は動画データ）のみで構成されるものであってもよい。
【００２０】
属性条件情報記憶部２５３には、図４に示すように、コンテンツＩＤと、属性条件情報とが対応付けて記憶されている。各コンテンツのコンテンツＩＤに対応付けられている属性条件情報は、そのコンテンツの出力中にそのコンテンツに関連する情報（例えば、コンテンツで紹介している商品のクーポン等）の配信対象となるユーザを決定するための条件となる属性項目（例えば、性別、年齢、趣味、料理の好み、服装の好み等）を示す情報である。なお、属性条件情報により指定される属性項目は、一つであってもよいし、複数の項目の組み合わせであってもよい。
【００２１】
配信情報記憶部２５４には、コンテンツＩＤに対応付けて、そのコンテンツの出力中にビーコン送信部３１によりブロードキャストする配信情報が記憶されている。本実施形態において、デジタルサイネージ装置１は、出力中のコンテンツに関連する情報をビーコンアプリ（詳細後述）が搭載された携帯端末２で表示するための情報（出力中のコンテンツに関連する情報そのものや、出力中のコンテンツに関連する情報を外部サーバ等から取得して表示するためのＩＤ情報やＵＲＬ（Uniform Resource Locator）等）を配信情報としてブロードキャストする。例えば、ある商品を紹介するコンテンツの出力中には、その商品の割引クーポンや、その商品の割引クーポンを図示しない外部サーバ等から取得して表示するためのＩＤ情報又はＵＲＬ等を配信情報としてブロードキャストする。
なお、配信情報記憶部２５４に記憶されている情報は、通信部２６を介して図示しない外部サーバ等から随時更新することが可能である。
【００２２】
通信部２６は、携帯端末２等の外部装置と通信を行うためのインターフェースを有する。通信部２６は、例えば、ブルートゥース（登録商標：Bluetooth）やＷｉ−Ｆｉ（Wireless Fidelity）等の無線通信規格に従って外部装置とデータの送受信を行う。あるいは、ＵＳＢ（Universal Serial Bus）や有線ＬＡＮ（Local Area Network）等の有線通信規格に従って外部装置とデータの送受信を行うこととしてもよい。通信部２６は、受信手段として機能する。
【００２３】
次に、スクリーン部２２について説明する。
スクリーン部２２には、図３に示すように、画像形成部２７と、画像形成部２７を支持する台座２８とが備えられている。
【００２４】
画像形成部２７は、映像光の照射方向に対して略直交するように配置された、例えばアクリル板などの人型に成形された一枚の透光板２９に、フィルム状のフレネルレンズが積層された背面投影用のフィルムスクリーン２９１や予め人物が印刷されたフィルム２９２が貼付されて構成されたスクリーンである。プロジェクタ２４は、画像形成部２７のフィルムスクリーン２９１が貼付された領域に画像を投影する。なお、透光板２９全体にフィルムスクリーン２９１を貼付した構成とし、人物についても投影を行うこととしてもよい。また、本実施形態では、画像形成部２７が人型である場合を例として示しているが、これに限定されるものではない。
【００２５】
台座２８には、ビーコン送信部３１と、ボタン式の操作部３２と、出力手段として音声を出力するスピーカなどの音声出力部３３とが設けられている。
【００２６】
ビーコン送信部３１は、Bluetooth Low Energy（ＢＬＥ）の通信方式により外部装置と無線通信が可能な通信デバイスであり、制御部２３からの指示に従って、上述の配信情報を含むビーコン情報を所定時間毎にブロードキャストする。ビーコン送信部３１は、送信手段として機能する。
【００２７】
ビーコン送信部３１、操作部３２、音声出力部３３は、図２に示すように制御部２３に接続されている。
【００２８】
［携帯端末２の構成］
図５は、携帯端末２の主制御構成を示すブロック図である。携帯端末２は、顧客が携帯しているスマートフォンや携帯電話機等の端末装置であり、図５に示すように、制御部２０１、記憶部２０２、操作部２０３、表示部２０４、第１通信部２０５、第２通信部２０６等を備えて構成されている。
【００２９】
制御部２０１は、記憶部２０２のプログラム記憶部２２１に記憶されている各種のプログラムを実行して所定の演算や各部の制御を行うＣＰＵとプログラム実行時の作業領域となるメモリとを備えている（いずれも図示略）。制御部２０１は、記憶部２０２のプログラム記憶部２２１に記憶されているビーコンアプリとの協働により、後述するコンテンツ切替処理の携帯端末２側の処理（図７参照）、表示制御処理（図８参照）を始めとする各種処理を実行する。
【００３０】
記憶部２０２は、不揮発性の半導体メモリ等により構成される。記憶部２０２には、図４に示すように、プログラム記憶部２２１が設けられている。プログラム記憶部２２１には、制御部２０１で実行されるシステムプログラム、ビーコンアプリを始めとする各種アプリケーションプログラム、Ｗｅｂブラウザ、これらのプログラムの実行に必要なデータ等が記憶されている。ビーコンアプリは、デジタルサイネージ装置１へのコンテンツの切替指示、デジタルサイネージ装置１の要求に応じたユーザの属性情報の送信、デジタルサイネージ装置１から送信されるビーコン情報の受信、及びビーコン情報に含まれる配信情報に基づく出力中のコンテンツに関連する情報の表示制御（すなわち、ユーザへのコンテンツに関連する情報の配信制御）等を行うためのアプリケーションプログラムである。
【００３１】
また、記憶部２０２には、属性情報記憶部２２２が設けられている。属性情報記憶部２２２には、図６に示すように、予め登録された携帯端末２のユーザの属性情報が属性項目に対応付けて記憶されている。
【００３２】
操作部２０３は、各種機能キーを備え、ユーザによる各キーの押下入力を受け付けてその操作情報を制御部２０１に出力する。また、操作部２０３は、表示部２０４の表面を覆うように透明電極を格子状に配置したタッチパネル等を有し、手指やタッチペン等で押下された位置を検出し、その位置情報を操作情報として制御部２０１に出力する。  
【００３３】
表示部２０４は、ＬＣＤ（Liquid Crystal Display）等により構成され、制御部２０１からの表示制御信号に従って、画面上に各種表示を行う。
【００３４】
第１通信部２０５は、無線により基地局又はアクセスポイントを介して移動体通信網を含む通信ネットワークに接続し、通信ネットワークに接続された外部装置との通信を行う。
【００３５】
第２通信部２０６は、デジタルサイネージ装置１等の外部装置と通信を行うためのインターフェースを有する。第２通信部２０６は、例えば、ブルートゥース（登録商標：Bluetooth）やＷｉ−Ｆｉ（Wireless Fidelity）等の無線通信規格に従って外部装置とデータの送受信を行う。あるいは、ＵＳＢ（Universal Serial Bus）等の有線通信規格に従って外部装置とデータの送受信を行うこととしてもよい。
本実施形態において、第２通信部２０６は、少なくともBluetooth Low Energy（ＢＬＥ）の通信方式による外部装置との無線通信が可能であり、デジタルサイネージ装置１等の外部装置からブロードキャストされるビーコン情報を受信可能である。
【００３６】
［コンテンツ出力システム１００の動作］
次に、本実施形態におけるコンテンツ出力システム１００の動作について説明する。
携帯端末２においてビーコンアプリが起動され、操作部２０３によりコンテンツ切替指示が入力されると、第２通信部２０６によりデジタルサイネージ装置１の通信部２６と通信接続が行われ、図７に示すコンテンツ切替処理が実行される。図７のデジタルサイネージ装置１側の処理は、制御部２３とプログラム記憶部２５１に記憶されているプログラムとの協働により実行される。携帯端末２側の処理は、制御部２０１と記憶部２０２に記憶されているビーコンアプリとの協働により実行される。
【００３７】
まず、携帯端末２の制御部２０１は、第２通信部２０６によりデジタルサイネージ装置１にコンテンツ切替要求を送信する（ステップＳ１）。
【００３８】
デジタルサイネージ装置１において、通信部２６により携帯端末２からのコンテンツ切替要求を受信すると、制御部２３は、コンテンツ記憶部２５２に記憶されているコンテンツのリストを通信部２６により携帯端末２に送信する（ステップＳ２）。
【００３９】
携帯端末２において、第２通信部２０６によりデジタルサイネージ装置１からコンテンツのリストを受信すると、制御部２０１は、受信したリストを表示部２０４に表示させる（ステップＳ３）。表示されたリストの中から操作部２０３によりコンテンツが選択されると、制御部２０１は、選択されたコンテンツへの切替指示情報（コンテンツ切替指示情報）を第２通信部２０６によりデジタルサイネージ装置１に送信する（ステップＳ４）。コンテンツ切替指示情報には、選択されたコンテンツのコンテンツＩＤが含まれる。
【００４０】
デジタルサイネージ装置１において、通信部２６によりコンテンツ切替指示情報を受信すると、制御部２３は、出力対象のコンテンツをコンテンツ切替指示情報により指示されたコンテンツに切り替えてプロジェクタ２４及び音声出力部３３により出力させる（ステップＳ５）。
【００４１】
次いで、制御部２３は、属性条件情報記憶部２５３において受信したコンテンツＩＤに対応付けて記憶されている属性条件情報を読み出し（ステップＳ６）、読み出した属性条件情報を通信部２６により携帯端末２に送信し、属性条件情報により指定されている項目の属性情報の取得要求をコンテンツ切替指示情報の送信元の携帯端末２に送信する（ステップＳ７）。
【００４２】
携帯端末２において、第２通信部２０６によりデジタルサイネージ装置１から属性条件情報及び属性情報の取得要求を受信すると、制御部２０１は、属性条件情報により指定された項目の属性情報を属性情報記憶部２２２から読み出して（ステップＳ８）、読み出した属性情報（すなわち、コンテンツ切替指示情報を送信した携帯端末２の操作者（ユーザ）の、属性条件情報で指定された項目の属性情報）を第２通信部２０６によりデジタルサイネージ装置１に送信する（ステップＳ９）。
【００４３】
デジタルサイネージ装置１において、通信部２６により携帯端末２から送信された属性情報が受信されると、制御部２３は、配信情報記憶部２５４において出力中のコンテンツのコンテンツＩＤに対応付けて記憶されている配信情報を読み出し（ステップＳ１０）、ステップＳ６において読み出した属性条件情報、携帯端末２から取得した属性情報、及び読み出した配信情報を含むビーコン情報をビーコン送信部３１によりブロードキャストし（ステップＳ１１）、コンテンツ切替処理を終了する。
【００４４】
ビーコン送信部３１の通信エリア内の携帯端末２は、ビーコン送信部３１から送信されたビーコン情報を受信する。
【００４５】
次に、デジタルサイネージ装置１のビーコン送信部３１から送信されたビーコン情報を受信した携帯端末２において実行される表示制御処理について説明する。図８は表示制御処理のフローチャートである。表示制御処理は、ビーコン情報を受信した携帯端末２の制御部２０１とビーコンアプリとの協働により実行される。
【００４６】
まず、制御部２０１は、受信したビーコン情報に含まれる属性条件情報により指定される項目のユーザの属性情報を属性情報記憶部２２２から取得する（ステップＳ２１）。
【００４７】
次いで、制御部２０１は、属性情報記憶部２２２から取得した属性情報と受信したビーコン情報に含まれる属性情報とを比較し、両者が一致した場合（ステップＳ２２；ＹＥＳ）、制御部２０１は、受信したビーコン情報に含まれる配信情報に基づいて、出力中のコンテンツに関連する情報を表示部２０４に表示させる（ステップＳ２３）。例えば、受信したビーコン情報に含まれる配信情報が出力中のコンテンツに関連する情報そのものである場合、制御部２０１は、受信したビーコン情報に含まれる配信情報を表示部２０４に表示させる。受信したビーコン情報に含まれる配信情報が出力中のコンテンツに関連する情報のＩＤ情報である場合、制御部２０１はＩＤ情報を第２通信部２０６により図示しない外部サーバに送信し、外部サーバから出力中のコンテンツに関連する情報を受信して表示部２０４に表示させる。また、受信したビーコン情報に含まれる配信情報が出力中のコンテンツに関連する情報のＵＲＬである場合、制御部２０１は第２通信部２０６によりそのＵＲＬにアクセスして出力中のコンテンツに関連する情報をＷｅｂブラウザにより表示部２０４に表示させる。
【００４８】
属性情報記憶部２２２から取得した属性情報と受信したビーコン情報に含まれる属性情報とが一致しなかった場合（ステップＳ２２；ＮＯ）、制御部２０１は、受信したビーコン情報を破棄し（ステップＳ２４）、表示制御処理を終了する。
【００４９】
このように、コンテンツ出力システム１００によれば、コンテンツを切り替えた操作者と同じ属性の人（すなわち、コンテンツを切り替えた操作者と似たような嗜好を持つ可能性が高い人）のみにその操作者が切り替えたコンテンツに関連する情報が配信されるので、有効な情報配信を行うことができる。また、不要な情報を配信してしまうことを低減することができる。
【００５０】
以上説明したように、デジタルサイネージ装置１によれば、制御部２３は、通信部２６により外部装置である携帯端末２からコンテンツ切替指示情報を受信すると、受信したコンテンツ切替指示情報に基づいてプロジェクタ２４や音声出力部３３により出力するコンテンツを切り替える。次いで、制御部２３は、コンテンツ切替指示情報の送信元の携帯端末２の操作者の属性情報を取得し、取得した属性情報と、出力中のコンテンツに関連する情報を表示するための配信情報とをビーコン送信部３１によりブロードキャストする。
したがって、例えば、ビーコン情報を受信した携帯端末２において、コンテンツ切替指示情報を送信した操作者の属性情報に基づいて、出力中のコンテンツに関連する情報の表示制御を行う（すなわち、ビーコン情報を受信した携帯端末２のユーザへの出力中のコンテンツに関連する情報の配信制御を行う）ことが可能となるので、コンテンツの切り替えを行った操作者の属性に基づいて有効な情報配信を行うことが可能となる。
【００５１】
例えば、制御部２３は、コンテンツ切替指示情報を送信した携帯端末２の操作者の、切替指示されたコンテンツに応じた項目の属性情報を取得して、コンテンツの切替後に、取得した属性情報と配信情報とをビーコン送信部３１によりブロードキャストすることで、出力中のコンテンツに関連する情報の表示制御を行うための属性項目をコンテンツ毎に変更することが可能となる。
【００５２】
なお、上記実施形態における記述内容は、本発明に係るコンテンツ出力システムの好適な一例であり、これに限定されるものではない。
【００５３】
例えば、上記実施形態においては、各コンテンツと配信情報とが１：１で対応付けられている場合を例にとり説明したが、デジタルサイネージ装置１において、各コンテンツに対し、属性情報の内容に応じて複数の配信情報を対応付けて記憶しておき、制御部２３は、携帯端末２から取得した、コンテンツの切り替えを指示した操作者の属性情報の内容に基づいて、ビーコン送信部３１からブロードキャストする配信情報を制御する（変える）こととしてもよい。例えば、コンテンツに対応付けられている属性条件情報が「性別」のコンテンツの場合、そのコンテンツに男性用の配信情報（例えば、出力中のコンテンツに関連する男性向けの情報を表示するための情報）と女性用の配信情報（例えば、出力中のコンテンツに関連する女性向けの情報を表示するための情報）を対応付けて配信情報記憶部２５４に記憶しておき、制御部２３は、携帯端末２から取得した、コンテンツの切り替えを指示した操作者の属性情報が「男性」である場合には男性用の配信情報を、「女性」である場合には女性用の配信情報をビーコン送信部３１からブロードキャストすることとしてもよい。これにより、例えば、コンテンツの切り替えを指示した操作者の属性情報に基づいてより細かな情報配信を行うことが可能となる。
【００５４】
また、上記実施形態においては、ビーコン情報を受信した携帯端末２において、ユーザの属性がコンテンツ切替指示情報を送信した携帯端末２の操作者の属性と一致した場合に、コンテンツに関連する情報を表示（配信）することとしたが、ユーザへの情報配信の制御手法は、これに限定されない。
【００５５】
例えば、携帯端末２は、ユーザのＳＮＳ（Social Networking Service）アカウントを属性情報の「友達」項目に対応付けて属性情報記憶部２２２に記憶しておき、制御部２０１は、デジタルサイネージ装置１から属性条件情報が「友達」のビーコン情報を受信した場合、属性情報記憶部２２２に記憶されているＳＮＳアカウント及び受信したビーコン情報に属性情報として含まれるＳＮＳアカウントをＳＮＳサーバに送信してビーコン情報に含まれているＳＮＳアカウントが携帯端末２のユーザの友達に含まれているか否かを問い合わせ、友達に含まれている場合にのみ、ビーコン情報に含まれる配信情報に基づいてコンテンツに関連する情報を表示部２０４に表示させることとしてもよい。
【００５６】
また、例えば、携帯端末２において、ビーコンアプリで家族のユーザＩＤを登録（家族登録）可能とし、ユーザＩＤを属性情報の「家族」項目に対応付けて属性情報記憶部２２２に記憶しておき、制御部２０１は、デジタルサイネージ装置１から属性条件情報が「家族」のビーコン情報を受信した場合、受信したビーコン情報に属性情報として含まれるユーザＩＤが自装置のユーザの家族登録に含まれている場合にのみ、ビーコン情報に含まれる配信情報に基づいてコンテンツに関連する情報を表示部２０４に表示させることとしてもよい。
【００５７】
また、上記実施形態においては、各コンテンツに予め属性条件情報が対応付けられている場合を例にとり説明したが、コンテンツ切替情報を送信した携帯端末２で属性条件情報を指定することとしてもよい。
例えば、デジタルサイネージ装置１の制御部２３は、図７のステップＳ５でコンテンツを切り替えた後、通信部２６によりコンテンツ切替指示情報の送信元の携帯端末２に属性情報の取得要求を送信する。携帯端末２の制御部２０１は、デジタルサイネージ装置１から属性情報の取得要求を受信すると、属性条件情報の指定画面を表示部２０４に表示し、指定画面から操作部２０３により指定された項目を属性条件情報として、属性条件情報及び属性情報記憶部２２２から読み出したその項目の属性情報を第２通信部２０６によりデジタルサイネージ装置１に送信する。デジタルサイネージ装置１の制御部２３は、携帯端末２から取得した属性条件情報と属性情報、及び配信情報を含むビーコン情報をビーコン送信部３１によりブロードキャストする。ビーコン情報を受信した携帯端末２は、受信した属性情報及び配信情報に基づいて、出力中のコンテンツに関連する情報を表示部２０４に表示させるか、又は破棄する。
このようにすれば、コンテンツ切替指示情報を送信した操作者が切替後のコンテンツに関連する情報の表示先（すなわち、配信先）の条件を制御することが可能となる。例えば、ＳＮＳにおける友達や家族のみに情報を配信することが可能となる。
【００５８】
また、上記実施形態においては、コンテンツを出力する出力手段（プロジェクタ２４、音声出力部３３）が、携帯端末２からコンテンツ切替指示情報を受信する受信手段、コンテンツ切替指示情報に基づいて出力手段により出力するコンテンツを切り替える切替手段、コンテンツ切替指示情報を送信した前記外部装置の操作者の属性情報を取得する取得手段、コンテンツ切替指示情報を送信した携帯端末２の操作者の属性情報、及び出力されているコンテンツに関連する配信情報をブロードキャストする送信手段と同一装置内に構成されている場合を例にとり説明したが、別体であってもよい。
【００５９】
また、例えば、上記実施形態においては、コンテンツ切替指示情報を送信した携帯端末２の操作者の属性情報及び配信情報をBluetooth Low Energy（ＢＬＥ）の通信方式によりブロードキャストする場合を例として説明したが、通信方式はこれに限定されない。
【００６０】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を備えるコンテンツ再生装置に適用しても同様の効果を奏することができ、この例に限定されない。
【００６１】
その他、コンテンツ出力システムを構成する各装置の細部構成及び細部動作に関しても、発明の趣旨を逸脱することのない範囲で適宜変更可能である。
【００６２】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
外部装置からコンテンツ切替指示情報を受信する受信手段と、
前記受信手段により受信したコンテンツ切替指示情報に基づいて出力手段により出力するコンテンツを切り替える切替手段と、
前記コンテンツ切替指示情報を送信した前記外部装置の操作者の属性情報を取得する取得手段と、
前記コンテンツ切替指示情報を送信した前記外部装置の操作者の属性情報と、前記切替手段による切り替え後に前記出力手段により出力されているコンテンツに関連する情報を表示するための配信情報とをブロードキャストする送信手段と、
を備える通信装置。
＜請求項２＞
前記取得手段は、前記コンテンツ切替指示情報を送信した前記外部装置の操作者の、前記コンテンツ切替指示情報により指示されたコンテンツに応じた項目の属性情報を取得する請求項１に記載の通信装置。
＜請求項３＞
前記取得手段は、前記コンテンツ切替指示情報を送信した前記外部装置の操作者の、前記外部装置において指定された項目の属性情報を取得する請求項１に記載の通信装置。
＜請求項４＞
前記取得手段により取得された前記コンテンツ切替指示情報を送信した前記外部装置の操作者の属性情報の内容に基づいて、前記送信手段によりブロードキャストする前記配信情報を制御する制御手段を備える請求項１〜３のいずれか一項に記載の通信装置。
＜請求項５＞
外部装置からコンテンツ切替指示情報を受信する工程と、
前記コンテンツ切替指示情報に基づいて出力手段により出力するコンテンツを切り替える工程と、
前記コンテンツ切替指示情報を送信した前記外部装置の操作者の属性情報を取得する工程と、
前記コンテンツ切替指示情報を送信した前記外部装置の操作者の属性情報と、前記コンテンツ切替指示情報に基づくコンテンツの切り替え後に前記出力手段により出力されているコンテンツに関連する情報を表示するための配信情報とをブロードキャストする工程と、
を含む通信方法。
＜請求項６＞
コンピュータを、
外部装置から受信したコンテンツ切替指示情報に基づいて、出力手段により出力するコンテンツを切り替える切替手段、
前記コンテンツ切替指示情報を送信した前記外部装置の操作者の属性情報を取得する取得手段、
前記コンテンツ切替指示情報を送信した前記外部装置の操作者の属性情報と、前記切替手段による切り替え後に前記出力手段により出力されているコンテンツに関連する情報を表示するための配信情報とをブロードキャストする手段、
として機能させるためのプログラム。
【符号の説明】
【００６３】
１  デジタルサイネージ装置
２１  投影部
２２  スクリーン部
２３  制御部
２４  プロジェクタ
２５  記憶部
２５１  プログラム記憶部
２５２  コンテンツ記憶部
２５３  属性条件情報記憶部
２５４  配信情報記憶部
２６  通信部
２７  画像形成部
２８  台座
２９  透光板
３１  ビーコン送信部
３２  操作部
３３  音声出力部
２  携帯端末
２０１  制御部
２０２  記憶部
２２１  プログラム記憶部
２２２  属性情報記憶部
２０３  操作部
２０４  表示部
２０５  第１通信部
２０６  第２通信部
【図１】
2018128940.tif 000003
【図２】
2018128940.tif 000004
【図３】
2018128940.tif 000005
【図４】
2018128940.tif 000006
【図５】
2018128940.tif 000007
【図６】
2018128940.tif 000008
【図７】
2018128940.tif 000009
【図８】
2018128940.tif 000010